(57)【特許請求の範囲】
【請求項１】
街頭広告を表示する表示端末に表示する映像情報を選択する情報提示装置であって、
前記表示端末と映像情報を視聴させる視聴対象者との距離に対応する複数の領域にそれぞれ対応する一連の映像ファイルを一組として格納する映像記憶手段と、
前記表示端末と映像情報を視聴させる対象者との距離を計測する距離計測手段と、
前記距離計測手段から計測された距離を取得して該距離に対応する領域を決定する領域判定手段と、
前記決定された領域に対応する映像ファイルを、前記映像記憶手段から取得する映像選択手段と、
選択された映像ファイルを前記表示端末に表示する映像再生手段と、を有し、
前記映像記憶手段は、
前記表示端末の表示画面から遠い順に「起承転結」の４つの領域が設定され、各領域それぞれに「起承転結」の内容が割り当てられた映像ファイルを格納する
ことを特徴とする情報提供装置。
【請求項２】
前記映像再生手段は、
前記領域判定手段により判定された領域が「承」の領域の場合、「起」の映像を表示した後であれば「承」の映像を表示し、「起」の映像を表示していなければ「承」の映像を表示しない
請求項１記載の情報提供装置。
【請求項３】
映像ファイル毎の再生回数を記録する再生回数記憶手段と、
前記映像ファイルを前記表示端末に表示した後、当該映像ファイルに対応する再生回数を前記再生回数記憶手段に記録する手段と、
を更に有する請求項１記載の情報提供装置。
【請求項４】
街頭広告を表示する表示端末に表示する映像情報を選択する情報提示方法であって、
前記表示端末と映像情報を視聴させる視聴対象者との距離に対応する複数の領域にそれぞれ対応する一連の映像ファイルを一組として格納する映像記憶手段を有する装置において、
前記表示端末と映像情報を視聴させる対象者との距離を計測する距離計測ステップと、
計測された前記距離に対応する領域を決定する領域判定ステップと、
前記決定された領域に対応する映像ファイルを、前記映像記憶手段から取得する映像選択ステップと、
選択された映像ファイルを前記表示端末に表示する映像再生ステップと、を行い、
前記映像記憶手段には、前記表示端末の表示画面から遠い順に「起承転結」の４つの領域が設定され、各領域それぞれに「起承転結」の内容が割り当てられた映像ファイルを格納する
ことを特徴とする情報提供方法。
【請求項５】
前記映像再生ステップは、
前記領域判定ステップにより判定された領域が「承」の領域の場合、「起」の映像を表示した後であれば「承」の映像を表示し、「起」の映像を表示していなければ「承」の映像を表示しない
請求項４記載の情報提供方法。
【請求項６】
前記映像ファイルを前記表示端末に表示した後、当該映像ファイルに対応する再生回数を前記再生回数記憶手段に記録するステップを更に行う、
請求項４記載の情報提供方法。
【請求項７】
請求項１乃至３のいずれか１項に記載の情報提供装置を構成する各手段としてコンピュータを機能させるための情報提供プログラム。
【発明の詳細な説明】
【技術分野】
【０００１】
本発明は、情報提示装置及び方法及びプログラムに係り、特に、街頭広告を表示する端末（ディジタルサイネージ、映像ディスプレイ）に表示する情報を選択するための情報提示装置及び方法及びプログラムに関する。
【背景技術】
【０００２】
ディジタルサイネージは、映像ディスプレイを活用して映像や情報を提示する広告媒体であり、店頭や街頭において、映像によって商品やサービスを訴求する。数十秒〜数分程度の映像を繰り返し再生する従来ディジタルサイネージは、通行人の注意を十分に惹き付けることができなかった。
【０００３】
これに対して、通行人とディスプレイの距離に基づいてサイズもしくは表示輝度を制御し、遠方から情報表示領域に近付く通行人に気付かせる情報標示装置が知られている（例えば、特許文献１参照）。
【先行技術文献】
【特許文献】
【０００４】
【特許文献１】特開２００７−１３３３０５号公報
【発明の概要】
【発明が解決しようとする課題】
【０００５】
ディジタルサイネージは視聴されることが重要であるが、従来のディジタルサイネージにおける映像は、視聴者の有無とは関係なく繰り返し再生されているため、映像を再生しているディスプレイの近傍にいる人々にとってさえ自分に向けた情報提示とは認識されにくく、注意をひきにくい。また、特許文献１の技術のような気付きを促す情報表示装置であっても、通行人の興味を惹き続ける工夫はされていない。
【０００６】
ディスプレイに近付くほどストーリが進行するように、人の動きに応じて映像を選択し再生すれば、より注意を惹きつけて積極的に視聴されることが可能になる。
【０００７】
また、人の有無に関係なく繰り返し映像を再生したり、人の接近に基づいて映像の再生を開始するだけの従来の方法では、再生した映像が視聴されたか否かが分からない。しかし、ディスプレイに近付くほどストーリが進行するように、人の動きに応じて映像を選択し再生すれば、どの映像まで視聴されたかを判定することが可能になる。
【０００８】
本発明は、上記の点に鑑みなされたもので、人が滞在しているゾーンに応じて、人が興味を持つ映像を映像ディスプレイに表示することが可能な情報提示装置及び方法及びプログラムを提供することを目的とする。
【課題を解決するための手段】
【０００９】
図１は、本発明の原理構成図である。
【００１０】
本発明（請求項１）は、街頭広告を表示する表示端末に表示する映像情報を選択する情報提示装置であって、
表示端末と映像情報を視聴させる視聴対象者との距離に対応する複数の領域にそれぞれ対応する一連の映像ファイルを一組として格納する映像記憶手段４０と、
表示端末と映像情報を視聴させる対象者との距離を計測する距離計測手段１０と、
距離計測手段から計測された距離を取得して該距離に対応する領域を決定する領域判定手段２０と、
決定された領域に対応する映像ファイルを、映像記憶手段４０から取得する映像選択手段３０と、
選択された映像ファイルを表示端末に表示する映像再生手段５０と、を有し、
映像記憶手段４０は、
表示端末の表示画面から遠い順に「起承転結」の４つの領域が設定され、各領域それぞれに「起承転結」の内容が割り当てられた映像ファイルを格納する。
【００１１】
また、本発明（請求項２）は、請求項１の映像再生手段において、
領域判定手段により判定された領域が「承」の領域の場合、「起」の映像を表示した後であれば「承」の映像を表示し、「起」の映像を表示していなければ「承」の映像を表示しない。
【００１２】
また、本発明（請求項３）は、請求項１の情報提供装置に、
映像ファイル毎の再生回数を記録する再生回数記憶手段と、
映像ファイルを表示端末に表示した後、当該映像ファイルに対応する再生回数を再生回数記憶手段に記録する手段と、を更に付加した構成とする。
【００１３】
図２は、本発明の原理を説明するための図である。
【００１４】
本発明（請求項４）は、街頭広告を表示する表示端末に表示する映像情報を選択する情報提示方法であって、
表示端末と映像情報を視聴させる視聴対象者との距離に対応する複数の領域にそれぞれ対応する一連の映像ファイルを一組として格納する映像記憶手段を有する装置において、
表示端末と映像情報を視聴させる対象者との距離を計測する距離計測ステップ（ステップ１）と、
計測された距離に対応する領域を決定する領域判定ステップ（ステップ２）と、
決定された領域に対応する映像ファイルを、映像記憶手段から取得する映像選択ステップ（ステップ３）と、
選択された映像ファイルを表示端末に表示する映像再生ステップ（ステップ４）と、を行い、
映像記憶手段には、表示端末の表示画面から遠い順に「起承転結」の４つの領域が設定され、各領域それぞれに「起承転結」の内容が割り当てられた映像ファイルを格納する。
【００１５】
また、本発明（請求項５）は、請求項４の情報提供方法の前記映像再生ステップにおいて、
領域判定ステップにより判定された領域が「承」の領域の場合、「起」の映像を表示した後であれば「承」の映像を表示し、「起」の映像を表示していなければ「承」の映像を表示しない。
【００１６】
また、本発明（請求項６）は、請求項４の情報提供方法において、
映像ファイルを表示端末に表示した後、当該映像ファイルに対応する再生回数を再生回数記憶手段に記録するステップを更に行う。
【００１７】
本発明（請求項７）は、請求項１乃至３のいずれか１項に記載の情報提供装置を構成する各手段としてコンピュータを機能させるための情報提供プログラムである。
【発明の効果】
【００１８】
上記のように本発明によれば、映像ディスプレイと人との距離に応じて、「起承転結」の４つのゾーンを設け、人が滞在しているゾーンに応じて映像を表示することにより、映像に興味を持った人が映像ディスプレイに近付くと、「起承転結」の順序で情報が表示されるため、人の注意を惹きつけやすくなる。
【図面の簡単な説明】
【００１９】
【図１】本発明の原理構成図である。
【図２】本発明の原理を説明するための図である。
【図３】本発明の一実施の形態における情報提示装置の構成図である。
【図４】本発明の一実施の形態における人とディスプレイの距離に応じた映像の再生を示す図である。
【図５】本発明の一実施の形態における映像ディスプレイと領域の位置関係を示す図である。
【図６】本発明の一実施の形態における情報提示装置のフローチャートである。
【図７】本発明の一実施の形態における具体的な処理のフローチャートである。
【発明を実施するための形態】
【００２０】
以下、図面と共に本発明の実施の形態を説明する。
【００２１】
図３は、本発明の一実施の形態における情報提示装置の構成を示す。
【００２２】
同図に示す情報提示装置は、距離センサ部１０、領域判定部２０、映像選択部３０、映像記録部４０、映像再生部５０、再生記録部６０から構成される。
【００２３】
距離センサ部１０は、映像ディスプレイ１と視聴対象者２との距離を計測し、距離情報を領域判定部２０に転送する。当該距離センサ部１０は、映像ディスプレイ１側に配置されていてもよいし、視聴対象者２と映像ディスプレイ１間の距離が計測できる場所であればどこに配置されていてもよい。また、距離センサ部１０と領域判定部２０は、直接接続されていてもよいし、ネットワークを介在させるようにしてもよい。
【００２４】
領域判定部２０は、距離センサ部１０から距離情報を取得すると、当該距離情報に基づいてどの領域に視聴者がいるかを判定する。ここで、領域とは、映像ディスプレイ１と視聴対象者２との距離に応じて４つの領域を設け、それぞれの領域に対応する４つの映像を１組として用いる。４つの映像には例えば、４コマ漫画のように一連のストーリに沿った「起承転結」の展開を持たせ、視聴対象者２が映像ディスプレイ１に近付くにつれて、映像を順に差し替えて再生する。視聴対象者２の動き（視聴対象者２と映像ディスプレイ１の距離）と「起承転結」の対応を図４に示す。同図において、映像ディスプレイ１から最も遠い位置を「起」とし、次に「承」、「転」、最も映像ディスプレイ１に近い位置を「結」としている。領域の境界は任意に設定できるものとし、映像ディスプレイ１から領域の境界までの距離は、当該領域判定部２０内のメモリ（図示せず）にて保持する。
【００２５】
映像記録部３０は、ハードディスク装置やメモリ等の記録媒体であり、４つの映像ファイルを１組として保持しており、４つの領域と各映像ファイルとの対応も合わせて保持している。
【００２６】
映像選択部４０は、領域判定部２０のメモリ（図示せず）から領域情報を読み込んで、当該領域情報に基づいて映像記録部３０から対応する映像ファイルを選択し、映像再生部５０に転送する。
【００２７】
映像再生部５０は、選択された映像ファイルを映像ディスプレイ１で再生する。
【００２８】
再生記録部６０は、映像ファイル毎の再生回数を記録する。
【００２９】
映像ディスプレイと領域の位置関係を図５に示す。上記のシステムにおいて、映像ディスプレイ１から視聴対象者２間の距離に応じて、各領域に名称を付ける。映像ディスプレイ１から最も近い領域をＡ、最も遠い領域をＤとする。図５の例において、視聴対象者２が、映像ディスプレイ１に向かって左側から歩いてきて、「領域Ｄ」に入った場合には、映像選択部４０は、領域Ｄに対応する映像ファイル「D.wmv」を選択する。当該映像ファイル「D.wmv」は「起承転結」の「起」に対応する最初に再生されるべき映像ファイルである。
【００３０】
本システムを設置する際には、領域Ｄを入り口として領域Ｄを経由した場合だけ領域Ｃ、更に領域Ｂ、さらに領域Ａへと侵入できるように設置空間を構成する。このようにすることで、視聴者の正面にある映像ディスプレイ１で再生される映像は、視聴対象者２が映像ディスプレイ１に近付くにつれて一連のストーリに沿って変化することになり、視聴者の注意力を高めた状態で視聴させることができる。つまり、領域Ｃから映像ディスプレイ１方向に進んできた人に対しては表示しないものとする。このために、映像ディスプレイ１は、視聴対象者の通路正面等に設置することが望ましい。また、領域Ｄに誘導する衝立のような物理的制約を設けて、映像ディスプレイ１を通行方向の正面になるように配置するようにしてもよい。このようにすることにより、領域Ｄから順に進入することになり、『起承転結』に対応した映像を提供することができる。
【００３１】
上記の情報標示装置の動作を図６に示す。
【００３２】
ステップ１０１）  距離センサ部１０から映像ディスプレイ１と対象者２との距離を取得する。
【００３３】
ステップ１０２）  領域判定部２０は、取得した距離に対応する領域を決定する。例えば、当該距離が１０〜８ｍの場合は領域Ｄ、８〜６ｍの場合は領域Ｃ、６〜４ｍの場合は領域Ｂ、４〜０ｍの場合は領域Ａのように決定し、当該領域情報をメモリ（図示せず）に格納する。
【００３４】
ステップ１０３）  映像選択部３０は、領域判定部２０のメモリ（図示せず）から領域情報を取得して、当該領域情報に対応する映像ファイルを映像記録部４０から取得し、映像再生部５０に渡す。
【００３５】
ステップ１０４）  映像再生部５０は、映像選択部３０から取得した映像ファイルを映像ディスプレイ１に表示する。
【００３６】
ステップ１０５）  映像再生部５０は、再生記録部６０の表示した映像ファイルのファイル名に１を加算する。
【００３７】
上記の処理を、視聴対象者２が映像ディスプレイ１に最も近い領域Ａに進み、当該領域Ａに対応する映像ファイル「A.wmv」が再生されるまで繰り返す。
【００３８】
具体的な処理を図７に示す。
【００３９】
領域判定部２０において、所定の時間間隔で距離センサ部１０から距離情報を取得し（ステップ２０１）、当該距離情報が「領域Ｄ」に該当すれば８ステップ２０２、Ｙｅｓ）、領域判定部２０から領域情報として「領域Ｄ」を取得し、映像記録部４０から「D.wmv」を取得して（ステップ２０３）、映像再生部５０で表示し、当該「D.wmv」に対応する再生記録部６０の再生回数に１を加算する（ステップ２０４）。
【００４０】
次に、視聴対象者が領域Ｄより更に映像ディスプレイ１に近寄り、その距離情報から視聴対象者１が「領域Ｃ」に入ると（ステップ２０６、Ｙｅｓ）、「C.wmv」を取得して（ステップ２０７）表示し、同様に再生回数に１を加算する（ステップ２０８）。
【００４１】
次に、視聴対象者が領域Ｃより更に映像ディスプレイ１に近寄り、その距離情報から視聴対象者１が「領域Ｂ」に入ると（ステップ２１０、Ｙｅｓ）、「B.wmv」を取得して（ステップ２１１）表示し、同様に再生回数に１を加算する（ステップ２１２）。
【００４２】
最後に、視聴対象者が領域Ｂより更に映像ディスプレイ１に近寄り、その距離情報から視聴対象者１が「領域Ａ」に入ると（ステップ２１４、Ｙｅｓ）、「C.wmv」を取得して（ステップ２１５）表示し、同様に再生回数に１を加算する（ステップ２１６）。
【００４３】
なお、視聴対象者が各映像ファイルの時間長より長くその領域に滞留している場合には、同じ映像ファイルを最初から再度再生するようにしてもよい。例えば、映像ファイル「B.wmv」の時間長が１５秒であり、視聴対象者が領域Ｂに１５秒以上滞留している場合には、当該映像ファイル「B.wmv」を冒頭から再生する。
【００４４】
一方、視聴対象者のある領域の滞留時間が映像ファイルの時間長より短い場合には、当該映像ファイルが最後まで再生されていなくとも、次の領域に対応する映像ファイルを再生する。例えば、映像ファイル「B.wmv」の時間長が上記と同様に１５秒であった場合、視聴対象者が７秒しか当該領域Ｂに滞留せず、次の領域Ａに移動した場合には、再生する映像ファイルを「A.wmv」に切り替えて再生する。
【００４５】
上記のように、視聴対象者が滞在しているゾーンに応じて、一連のストーリ性のある映像を表示することにより、映像に興味を持った人が映像ディスプレイに近付くと「起承転結」の順序で情報が表示されるため、人の注意を惹きつけやすくなる。
【００４６】
上記の情報提示装置の構成要素（距離センサ部、領域判定部、映像選択部、映像再生部等）の動作をプログラムとして構築し、情報提示装置として利用されるコンピュータにインストールして実行させる、または、ネットワークを介して流通させるようにしてもよい。
【００４７】
また、構築されたプログラムをハードディスクや、フレキシブルディスク・ＣＤ−ＲＯＭ等の可搬記憶媒体に格納し、コンピュータにインストールする、または、配布することが可能である。
【００４８】
なお、本発明は、上記の実施の形態に限定されることなく、特許請求の範囲内において種々変更・応用が可能である。
【産業上の利用可能性】
【００４９】
本発明は、人が往来する通路において、広告情報や案内情報を表示するシステムに適用することが可能である。
【符号の説明】
【００５０】
１  表示端末、映像ディスプレイ
２  視聴対象者
１０  距離計測手段、距離センサ部
２０  領域判定手段、領域判定部
３０  映像選択手段、映像選択部
４０  映像記憶手段、映像記録部
５０  映像再生手段、映像再生部
６０  再生記録部
【図１】
0005542469.tif 000002
【図２】
0005542469.tif 000003
【図３】
0005542469.tif 000004
【図４】
0005542469.tif 000005
【図５】
0005542469.tif 000006
【図６】
0005542469.tif 000007
【図７】
0005542469.tif 000008